(57)【要約】【課題】メッキ品からなる金属部材へのボルトやナットの取付け後の塗装を省略することができ、しかも、希望する規格のボルトやナットを用いてそれを実現することができる、メッキ品からなる金属部材へのボルト、ナットの取付け構造を提供する。【解決手段】ボルト２については、メッキ品からなる金属部材１にボルト通孔４が設けられると共に、該ボルト通孔４に頭付きボルト２が先端突出状態に通され、ボルト頭部２ａがボルト保持材３の凹所３ａ内に収容され、該ボルト保持材３のつば部３ｂが金属部材１にかしめ接合されることで、ボルト２が金属部材１に保持されている。【選択図】      図１
2006009974.tif 000002
【特許請求の範囲】
【請求項１】
メッキ品からなる金属部材にボルト通孔が設けられると共に、該ボルト通孔に頭付きボルトが先端突出状態に通され、
前記ボルト頭部を収容する凹所と、前記金属部材の面部に沿うかしめ用のつば部とを有する金属プレス成形品からなるボルト保持材が備えられ、
ボルト頭部がボルト保持材の凹所内に収容され、該ボルト保持材のつば部が金属部材にかしめ接合されることで、ボルトが金属部材に保持されていることを特徴とする、メッキ品からなる金属部材へのボルトの取付け構造。
【請求項２】
メッキ品からなる金属部材にボルト通孔が設けられると共に、該ボルト通孔と同心状態にナットがセットされ、
前記ナットを収容する凹所と、前記金属部材の面部に沿うかしめ用のつば部とを有する金属プレス成形品からなるナット保持材が備えられ、
ナットが該ナット保持材の凹所内に収容され、該ナット保持材のつば部が金属部材にかしめ接合されることで、ナットが金属部材に保持されていることを特徴とする、メッキ品からなる金属製部材へのナットの取付け構造。
【請求項３】
メッキ品からなる金属部材にボルト通孔が設けられ、
頭部にかしめ用のつば材を溶接で取り付け、塗装をされたつば材付きボルトが、前記金属部材のボルト通孔に先端突出状態に通され、
前記つば材が金属部材にかしめ接合されることで、ボルトが金属部材に保持されていることを特徴とする、メッキ品からなる金属部材へのボルトの取付け構造。
【請求項４】
メッキ品からなる金属部材にボルト通孔が設けられ、
かしめ用のつば材を溶接で取り付け、塗装をされたつば材付きナットが、前記金属部材のボルト通孔に同心状態にセットされ、
前記つば材が金属部材にかしめ接合されることで、ナットが金属部材に保持されていることを特徴とする、メッキ品からなる金属部材へのボルトの取付け構造。
【発明の詳細な説明】
【技術分野】
【０００１】
本発明は、メッキ品からなる金属部材へのボルト、ナットの取付け構造に関する。
【背景技術】
【０００２】
メッキ品からなる鉄などの金属部材にボルト通孔をあけ、該ボルト通孔に頭付きボルトを先端突出状態に通し、該ボルトを金属部材に溶接で取り付けておき、該ボルト付き金属部材と他の部材とを、前記ボルトと、別に用意したナットとで接合することがある。
【０００３】
また、メッキ品からなる鉄などの金属部材にボルト通孔をあけ、該ボルト通孔と同心状態にナットをセットし、該ナットを金属部材に溶接で取り付けておき、該ナット付き金属部材と他の部材とを、前記ナットと、別に用意したボルトとで接合することもある。
【発明の開示】
【発明が解決しようとする課題】
【０００４】
しかしながら、メッキ品からなる金属部材に対し、ボルトやナットを溶接で取り付けた場合、取付け後に、溶接した部分を塗装で補修しておく必要があり、ボルトやナットがすでに金属部材に取り付いていることから、その塗装が非常に厄介な場合があるという問題があった。
【０００５】
そこで、ボルトやナットをプレスで金属材にかみ合わせて取り付ける方法も考えられるが、その場合は溶接で取り付ける場合のボルトやナットとは異なる、プレスによるかみ合わせに適したボルトやナットを用いる必要があり、ボルトやナットが希望の規格から外れて、使用できない場合を生じるという問題がある。
【０００６】
本発明は、上記のような問題点に鑑み、メッキ品からなる金属部材へのボルトやナットの取付け後の塗装を省略することができ、しかも、希望する規格のボルトやナットを用いてそれを実現することができる、メッキ品からなる金属部材へのボルト、ナットの取付け構造を提供することを課題とする。
【課題を解決するための手段】
【０００７】
上記の課題は、メッキ品からなる金属部材にボルト通孔が設けられると共に、該ボルト通孔に頭付きボルトが先端突出状態に通され、
前記ボルト頭部を収容する凹所と、前記金属部材の面部に沿うかしめ用のつば部とを有する金属プレス成形品からなるボルト保持材が備えられ、
ボルト頭部がボルト保持材の凹所内に収容され、該ボルト保持材のつば部が金属部材にかしめ接合されることで、ボルトが金属部材に保持されていることを特徴とする、メッキ品からなる金属部材へのボルトの取付け構造によって解決される。
【０００８】
また、メッキ品からなる金属部材にボルト通孔が設けられると共に、該ボルト通孔と同心状態にナットがセットされ、
前記ナットを収容する凹所と、前記金属部材の面部に沿うかしめ用のつば部とを有する金属プレス成形品からなるナット保持材が備えられ、
ナットが該ナット保持材の凹所内に収容され、該ナット保持材のつば部が金属部材にかしめ接合されることで、ナットが金属部材に保持されていることを特徴とする、メッキ品からなる金属製部材へのナットの取付け構造によって解決される。
【０００９】
上記の各構造では、ボルトやナットが、ボルト保持材によって、金属部材に無溶接で取り付けられているので、メッキ品からなる金属部材へのボルトやナットの取付け後の塗装を省略することができる。しかも、ボルトやナットを金属部材に保持しているのはボルト保持材、ナット保持材であり、そのため、使用するボルトやナットに制限がなく、希望する規格のボルトやナットを用いることができる。
【００１０】
更に、上記の課題は、メッキ品からなる金属部材にボルト通孔が設けられ、
頭部にかしめ用のつば材を溶接で取り付け、塗装をされたつば材付きボルトが、前記金属部材のボルト通孔に先端突出状態に通され、
前記つば材が金属部材にかしめ接合されることで、ボルトが金属部材に保持されていることを特徴とする、メッキ品からなる金属部材へのボルトの取付け構造によって解決される。
【００１１】
また、メッキ品からなる金属部材にボルト通孔が設けられ、
かしめ用のつば材を溶接で取り付け、塗装をされたつば材付きナットが、前記金属部材のボルト通孔に同心状態にセットされ、
前記つば材が金属部材にかしめ接合されることで、ナットが金属部材に保持されていることを特徴とする、メッキ品からなる金属部材へのボルトの取付け構造によって解決される。
【００１２】
これらの構造では、溶接をするものではあるが、溶接をするのは、ボルトとつば材、ナットとつば材であり、それらは溶接後に容易に塗装をすることができ、金属部材に対しては、ボルトやナットに溶接されたつば材をかしめ接合するものであるから、メッキ品からなる金属部材へのボルトやナットの取付け後の塗装を省略することができる。しかも、ボルトやナットを金属部材に保持しているのはそれらに取り付けられたつば材であり、そのため、使用するボルトやナットに制限がなく、希望する規格のボルトやナットを用いることができる。
【発明の効果】
【００１３】
本発明は、以上のとおりのものであるから、メッキ品からなる金属部材へのボルトやナットの取付け後の塗装を省略することができ、しかも、希望する規格のボルトやナットを用いてそれを実現することができる。
【発明を実施するための最良の形態】
【００１４】
次に、本発明の実施最良形態を図面に基づいて説明する。
【００１５】
図１に示す第１実施形態の取付け構造は、ボルトについてのもので、１はメッキ品からなる金属部材、２はボルト、３はボルト保持材である。
【００１６】
金属部材１は鉄、鋼などからなり、ボルト２は六角頭付きボルトからなり、金属部材１には、図１（イ）に示すように、ボルト２を通す通孔４が設けられている。
【００１７】
ボルト保持材３は、金属製の薄板等をプレス成形した金属プレス成形品からなり、図１（イ）（ロ）に示すように、ボルト２の頭部２ａを収容する周囲対応六角の凹所３ａと、金属部材１の面部に沿うかしめ用のつば部３ｂとを備えている。
【００１８】
そして、上記のボルト２は、金属部材１のボルト通孔４に先端突出状態に通され、図１（ハ）に示すように、ボルト頭部２ａがボルト保持材３の凹所３ａ内にしっくりと収容され、ボルト保持材３のつば部３ｂが金属部材１にかしめ接合５…されることで、金属部材１に保持されている。なお、かしめ接合部５…は、かしめによる凸がボルト頭部２ａの側となるように形成しておくとよい。
【００１９】
上記のボルト取付け構造では、ボルト２が、ボルト保持材３によって、金属部材１に無溶接で取り付けられているので、メッキ品からなる金属部材１へのボルトの取付け後の塗装を省略することができる。しかも、ボルト２を金属部材１に保持しているのはボルト保持材３であり、そのため、使用するボルトに制限がなく、希望する規格のボルトを用いることができる。
【００２０】
図２に示す第２実施形態の取付け構造は、ナットについてのもので、６は六角ナット、７はナット保持材であり、ナット保持材７は、同じく金属製の薄板等をプレス成形した金属プレス成形品からなり、図２（イ）（ロ）に示すように、ナット６を収容する周囲対応六角の凹所７ａと、金属部材１の面部に沿うかしめ用のつば部７ｂとを備え、凹所７ａの底部にはボルトを通す通孔８が設けられている。
【００２１】
そして、上記のナット６は、金属部材１のボルト通孔４と同心状態にセットされ、図２（ハ）に示すように、ナット保持材７の凹所７ａ内にしっくりと収容され、ナット保持材７のつば部７ｂが金属部材１にかしめ接合５…されることで、金属部材１に保持されている。その他は、第１実施形態と同様である。
【００２２】
上記のナット取付け構造では、ナット６が、ナット保持材７によって、金属部材１に無溶接で取り付けられているので、メッキ品からなる金属部材１へのナットの取付け後の塗装を省略することができる。しかも、ナット６を金属部材１に保持しているのはナット保持材７であり、そのため、使用するナットに制限がなく、希望する規格のナットを用いることができる。
【００２３】
図３に示す第３実施形態の取付け構造は、ボルトについてのもので、２はボルト、９はかしめ用のつば材である。ボルト２は、図３（イ）（ロ）に示すように、扁平な円形状の頭部２ａを備え、つば材９はボルト通孔１０を有する金属製の薄板からなり、ボルト２とつば材９は、ボルト２がつば材９のボルト通孔１０に通され、ボルト頭部２ａとつば材９とが溶接されることで一体化され、かかるつば材９付きのボルト２は、溶接後に塗装処理をされている。
【００２４】
そして、塗装済みのつば材９付きボルト２は、図３（ロ）（ハ）に示すように、金属部材１のボルト通孔４に先端突出状態に通され、つば材９が金属部材１にかしめ接合５…されることで、金属部材１に保持されている。その他は第１実施形態と同様である。
【００２５】
このボルト取付け構造では、溶接をするものではあるが、溶接をするのは、ボルト２とつば材９であり、つば材９付きボルト２は溶接後に容易に塗装をすることができ、金属部材１に対しては、ボルト２に溶接されたつば材９をかしめ接合５…するものであるから、メッキ品からなる金属部材１へのボルト２の取付け後の塗装を省略することができる。しかも、ボルト２を金属部材１に保持しているのはボルト２に取り付けられたつば材９であり、そのため、使用するボルトに制限がなく、希望する規格のボルトを用いることができる。
【００２６】
図４に示す第４実施形態の取付け構造は、ナットについてのもので、６はナット、１１はかしめ用のつば材である。ナット６は、図４（イ）（ロ）に示すように、外周四角ナットからなり、つば材１１はボルト通孔１２を有する金属製の薄板からなり、ナット６とつば材１１は、ナット６とつば材１１のボルト通孔１２とを同心状態にするように組み合わされ、溶接で一体化され、かかるつば材付きナット６は、溶接後に塗装処理をされている。
【００２７】
そして、塗装済みのつば材１１付きナット６は、図４（ロ）（ハ）に示すように、金属部材１のボルト通孔４に同心状態にセットされ、つば材１１が金属部材１にかしめ接合５…されることで、ナット６が金属部材１に保持されている。その他は第３実施形態と同様である。
【００２８】
このナット取付け構造では、溶接をするものではあるが、溶接をするのは、ナット６とつば材１１であり、つば材１１付きナット６は溶接後に容易に塗装をすることができ、金属部材１に対しては、ナット６に溶接されたつば材１１をかしめ接合５…するものであるから、メッキ品からなる金属部材１へのナット６の取付け後の塗装を省略することができる。しかも、ナット６を金属部材１に保持しているのはナット６に取り付けられたつば材１１であり、そのため、使用するナットに制限がなく、希望する規格のナットを用いることができる。
【００２９】
以上に、本発明の実施形態を示したが、本発明はこれに限られるものではなく、発明思想を逸脱しない範囲で各種の変更が可能である。例えば、本発明では、ボルトやナットの取付け対象である金属部材に制限はなく、機械や建築などの各種産業分野で用いられる金属部材であってよいし、また、ボルトやナットについても、その形態等について特別の制限ない。
【図面の簡単な説明】
【００３０】
【図１】第１実施形態の取付け構造を示すもので、図（イ）はボルト、ボルト保持材及び金属部材の三者を分離状態にして示す斜視図、図（ロ）はボルト保持材を凹所の側から見た斜視図、図（ハ）は金属部材へのボルトの取付け状態を示す斜視図である。
【図２】第２実施形態の取付け構造を示すもので、図（イ）はナット、ナット保持材及び金属部材の三者を分離状態にして示す斜視図、図（ロ）はナット保持材を凹所の側から見た斜視図、図（ハ）は金属部材へのナットの取付け状態を示す斜視図である。
【図３】第３実施形態の取付け構造を示すもので、図（イ）はボルトとつば材とを分離状態にして示す斜視図、図（ロ）はつば材付きボルトと金属部材とを分離状態にして示す斜視図、図（ハ）は金属部材へのボルトの取付け状態を示す斜視図である。
【図４】第４実施形態の取付け構造を示すもので、図（イ）はナットとつば材とを分離状態にして示す斜視図、図（ロ）はつば材付きナットと金属部材とを分離状態にして示す斜視図、図（ハ）は金属部材へのナットの取付け状態を示す斜視図である。
【符号の説明】
【００３１】
１…金属部材
２…ボルト
２ａ…ボルト頭部
３…ボルト保持材
３ａ…凹所
３ｂ…つば部
４…ボルト通孔
５…かしめ接合部
６…ナット
７…ナット保持材
７ａ…凹所
７ｂ…つば部
９…つば材
１１…つば材
【図１】
2006009974.tif 000003
【図２】
2006009974.tif 000004
【図３】
2006009974.tif 000005
【図４】
2006009974.tif 000006